(57)【特許請求の範囲】
【請求項１】
前面開口を有する筐体と、
この筐体の内部において、前記前面開口に面して配設された室内熱交換器と、
前記筐体に対して開閉または着脱自在に取り付けられて前記筐体の前面開口を覆う吸込グリルと、
室内温度を検出するための室温センサとを備えた空気調和機において、
前記室温センサは、前記筐体側面における壁面の内側近傍と対応する位置に配置され、
この室温センサに対応する前記筐体側面の壁面には、前記室温センサに外気を接触させるための外気連通口が形成され、
この外気連通口は、前記吸込グリルの開閉または着脱時に人の指先が触れるような位置に形成され、かつ外部から人の指先や異物が入らない形状の開口によって構成されていることを特徴とする空気調和機。
【請求項２】
前記筐体内に収納され、センサ用導線によって前記室温センサと連結される電気部品箱を更に備え、
この電気部品箱は、その外側に前記室温センサを取り付けるためのセンサ取付部材を有することを特徴とする請求項１記載の空気調和機。
【発明の詳細な説明】
【０００１】
【発明の属する技術分野】
本発明は、室内に設置される空気調和機（空気調和装置の室内機）に係り、とりわけ、室内温度を検出する室温センサの設置構造を改良した空気調和機に関する。
【０００２】
【従来の技術】
図８に、従来の一般的な空気調和機（室内機）の外観が示されている。図８において、空気調和機は、前面開口１ａを有する筐体１と、この筐体１の前面開口１ａを覆う吸込グリル３とを備えている。ここで、吸込グリル３は、筐体１の前面開口１ａに対応するスリット状の吸込口４を有している。また、筐体１の前下方部分に、ルーバ１０を有する吹出口２が設けられている。
【０００３】
次に、図９には、図８に示す空気調和機の吸込グリル３および筐体１を取り外した状態の要部が示されている。図９において、符号６で示すのは室内熱交換器であり、この室内熱交換器６は、筐体１の内部に収納された状態において、上記前面開口１ａに面するように配設されている。また、符号７′で示すのは、制御用の電機部品等を収納する電気部品箱である。
【０００４】
次に、図９において空気調和機は、室内温度を検出するための室温センサＳを備えている。この室温センサＳは、上記室内熱交換器６の前方（図８に示す吸込グリル３の内側）に配置され、吸込グリル３の吸込口４から吸い込まれた室内空気の温度を検出するようになっている。また、室温センサＳと上記電気部品箱７′との間はセンサ用導線Ｒによって連結されている。そして、このセンサ用導線Ｒと室温センサＳとが、電気部品箱７′から延びる支持部材１２によって支持されている。
【０００５】
【発明が解決しようとする課題】
上述したような空気調和機は、以下のような問題点がある。すなわち、室温センサＳが室内熱交換器６の前方に配置されているため、室温センサＳに対する室内熱交換器６からの熱影響を防止する手段（断熱部材等）を設けなければ、正確な室内温度が得られない。また、電気部品箱７′から室温センサＳの設置される室内熱交換器６前方までの距離がある程度離れているため、比較的長い支持部材１２とセンサ用導線Ｒを用いなければならない。このため、室温センサＳの取り付けやセンサ用導線Ｒの取り回しに要する部材、スペース、作業労力等が大きくなってしまう。
【０００６】
本発明は、このような点を考慮してなされたものであり、室温センサに対する室内熱交換器からの熱影響を防止する手段を特に設けなくても、正確な室内温度を検出することができる空気調和機を提供すること、および室温センサの取り付けやセンサ用導線の取り回しに要する部材、スペース、作業労力を削減することのできる空気調和機を提供することを目的とする。
【０００７】
【課題を解決するための手段】
第１の発明は、前面開口を有する筐体と、この筐体の内部において、前記前面開口に面して配設された室内熱交換器と、前記筐体に対して開閉または着脱自在に取り付けられて前記筐体の前面開口を覆う吸込グリルと、室内温度を検出するための室温センサとを備えた空気調和機において、前記室温センサは、前記筐体側面における壁面の内側近傍と対応する位置に配置され、この室温センサに対応する前記筐体側面の壁面には、前記室温センサに外気を接触させるための外気連通口が形成され、この外気連通口は、前記吸込グリルの開閉または着脱時に人の指先が触れるような位置に形成され、かつ外部から人の指先や異物が入らない形状の開口によって構成されていることを特徴とする空気調和機である。
【０００８】
この第１の発明によれば、筐体側面における壁面の外気連通口を通じて室温センサに外気を接触させることにより、筐体側面における壁面の内側近傍と対応する位置に配置された室温センサによって、室内熱交換器の影響を受けずに室内温度を検出することができる。また、吸込グリルの開閉または着脱時に、筐体の外気連通口に人の指先が触れることにより、外気連通口に付着した埃等が除去される。その際、外気連通口に外部から人の指先や異物が入ることはない。
【００１４】
第２の発明は、第１の発明において、前記筐体内に収納され、センサ用導線によって前記室温センサと連結される電気部品箱を更に備え、この電気部品箱は、その外側に前記室温センサを取り付けるためのセンサ取付部材を有するものである。
【００１５】
この第２の発明によれば、第１の発明において、センサ取付部材によって電気部品箱の外側に室温センサを取り付けることにより、電気部品箱から離れた場所に室温センサを設置する場合に比べ、室温センサの取付構造を小型簡素化するとともに、センサ用導線の長さを短縮することができる。
【００２３】
【発明の実施の形態】
次に、図面を参照して本発明の一実施形態について説明する。図１乃至図７は本発明による空気調和機の実施の形態を示す図である。なお、図１乃至図７に示す本発明の実施の形態において、図８および図９に示す従来例と同一の構成部分には同一符号を付して説明する。
【００２４】
まず、図１および図２において、空気調和機は、前面開口１ａを有する筐体１と、この筐体１の前面開口１ａを覆う吸込グリル３とを備えている。ここで、吸込グリル３は、筐体１の前面開口１ａに対応するスリット状の吸込口４を有するとともに、筐体１に対して開閉自在に取り付けられている。具体的には、吸込グリル３は、上端部を軸として筐体１に対して揺動自在に取り付けられ、下端部（揺動端部）を上方へ持ち上げることによって筐体１前面から開くことができるように構成されている（図２参照）。また、筐体１の前下方部分に、ルーバ１０を有する吹出口２が設けられている。
【００２５】
次に、図３には、図１又は図２に示す空気調和機の吸込グリル３および筐体１を取り外した状態の要部が示されている。図３において、符号６で示すのは室内熱交換器であり、この室内熱交換器６は、筐体１の内部に収納された状態において、上記前面開口１ａに面するように配設されている。また、符号７で示すのは、制御用の電機部品等を収納する電気部品箱であり、この電気部品箱７の底部に、室内温度を検出するための室温センサＳが取り付けられている。この室温センサＳは、筐体１の（右側面の）壁面内側の近傍に対応する位置に設けられている。
【００２６】
次に、図１および図２に示すように、筐体１の（右側面の）壁面に、上記室温センサＳに対応する外気連通口２０が形成されている。すなわち、上記室温センサＳは、筐体１の外気連通口２０の内側近傍に位置するように設けられている。なお、図２に示すように、外気連通口２０は複数のスリット状開口２２によって構成されているが、これに限らず、外部から人の指先や異物が入らないようなものであれば、格子状等の他の形状の開口で構成してもよい。
【００２７】
ここで、図２において、吸込グリル３は、その下端（揺動端）側の左右一対の操作部３０, ３０′を人の指先で保持した状態で、筐体１に対して開閉できるように構成されている。そして、筐体１の外気連通口２０は、吸込グリル３の開閉時に人の指先が触れるような位置に形成されている。具体的には、吸込グリル３の（右側の）操作部３０に切欠３２が形成され、筐体１の外気連通口２０は、この吸込グリル３の切欠３２に対応して、その一部が切欠３２内に入り込むように形成されている。
【００２８】
次に、図３において、上記電気部品箱７は、金属製の電気部品箱本体７０と、この本体７０の右側面７０ａ内側に取り付けられたプラスティック製のＰＣ板ベース７２と、本体７０の前面側に取り付けられたプラスティック製のサブベース７４とを有している。ここで、ＰＣ板ベース７２は、ＣＰＵその他の電機部品が取り付けられたＰＣ板（制御基板）を支持するためのものである。
【００２９】
そして、上記電気部品箱７のサブベース７４とＰＣ板ベース７２とに、室温センサＳを取り付けるためのセンサ取付部材８と、室温センサＳを取り囲むセンサ保護部材９とが、それぞれ一体的に形成されている。
【００３０】
次に、図４乃至図７を参照して、上記室温センサＳ、センサ取付部材８およびセンサ保護部材９について詳細に説明する。まず、室温センサＳは、図４、図５および図７に示すように、大小２つの回転楕円体を長軸方向に繋げたような瓢箪型の形状を有している。そして、室温センサＳの大きい方の回転楕円体部分はセンサ本体ｓ1 を構成し、小さい方の回転楕円体部分は、センサ用導線Ｒが連結される基部ｓ2 を構成している。
【００３１】
次に、図４乃至図６において、サブベース７４と一体に形成された上記センサ取付部材８は、取付部材本体８０と、この本体８０に形成された保持部８６および導線固定部８７を有している。このうち保持部８６は、取付部材本体８０の保護部材９側（図４および図５の下側）（以下、この側を後側、その反対側を前側という。）に開口する円筒状の穴の形態を有し、その内部に室温センサＳの基部ｓ2 がはめ込まれるようになっている。
【００３２】
また、上記導線固定部８７は、保持部８６の奥から取付部材本体８０の前側までを貫通したスリットの形態を有し、このスリット内にセンサ用導線Ｒを挟持するように構成されている。そして、この導線固定部を構成するスリット８７は、上記センサ用導線Ｒを側方（図５（ａ）の手前側＝図６の上側）（以下、単に側方という。）から受け入れるための開口部８８を有している。この開口部８８は、上記センサ用導線Ｒを受け入れ易くするよう、側方に向かってテーパ状に広がっている。
【００３３】
また、取付部本体８０の電気部品箱本体右側面７０ａに対応する側（以下、右側という。）に、補強リブ８４および８５が形成され、その反対側（以下、左側という。）に、ガイド部８２が形成されている。このガイド部８２は、取付部本体８０から、上記導線固定部８７の左側に対応して、前側および側方に延長している。そして、図４に示すように、ガイド部８２の前側延長端部に対応して、センサ用導線Ｒを案内するための溝部８９が形成されている。
【００３４】
次に、図４および図５に示すように、ＰＣ板ベース７２と一体に形成された上記保護部材９は、直方体形状の基部９０と、この基部９０にそれぞれ繋がる一対の左側リング部９２, ９４および右側リング部９６とを有している。そして、これらのリング部９２, ９４, ９６が、室温センサＳの本体ｓ1 の周囲を取り囲むようになっている。ここで、一対の左側リング部９２, ９４同士の間に対応するように右側リング部９６が設けられているが、これは、プラスティック成型におけるいわるゆ「抜き」を考慮したものであって、これらのリング部９２, ９４, ９６を１つのリング状に形成することも可能である。
【００３５】
次に、このような構成よりなる本実施形態の作用効果について説明する。本実施形態によれば、筐体１の壁面に、室温センサＳに対応する外気連通口２０が形成され、室温センサＳが、筐体１の外気連通口２０の内側近傍に位置するように設けられているので、筐体１の外気連通口２０を通じて室温センサＳに外気を接触させることにより、室温センサＳによって、室内熱交換器６の影響を受けずに室内温度を検出することができる。このため、室温センサＳに対する室内熱交換器６の影響を防止する手段を特に設けなくても、正確な室内温度を検出することができる。
【００３６】
また、筐体１の外気連通口２０は、吸込グリル３の開閉時に人の指先が触れるような位置に形成されているので、吸込グリル３の開閉または着脱時に、筐体１の外気連通口２０に人の指先が触れることにより、外気連通口２０に付着した埃等が除去される。このため、外気連通口２０への埃等の詰まりを防止して、温度センサＳによる正確な室内温度の検出を確保することができる。
【００３７】
また、センサ取付部材８によって電気部品箱７の外側に室温センサＳを取り付けることにより、電気部品箱７から離れた場所に室温センサＳを設置する場合に比べ、室温センサＳの取付構造を小型簡素化するとともに、センサ用導線Ｒの長さを短縮することができる。このため、室温センサＳの取り付けやセンサ用導線Ｒの取り回しに要する部材やスペースを削減することが可能となる。
【００３８】
さらに、センサ用導線Ｒを挟持するスリット状の導線固定部８７に対して、その側方から開口部８８を通じてセンサ用導線Ｒを挿入することにより、極めて容易かつ確実にセンサ用導線Ｒを固定することができる。
【００３９】
また、保護部材９のリング部９２, ９４, ９６が、室温センサＳの本体ｓ1 の周囲を取り囲むようになっているので、保護部材９によって室温センサＳの本体ｓ1 を傷付き等から保護することができる。
【００４０】
なお、上記の実施形態において、吸込グリル３が筐体１に対して揺動式に開閉自在となっている場合について説明したが、吸込グリル３が筐体１に対して着脱自在となっていてもよい。そして、その場合も、筐体１の外気連通口２０は、吸込グリル３の着脱時に人の指先が触れるような位置に形成されていることが好ましい。
【００４１】
【発明の効果】
請求項１記載の発明によれば、筐体側面における壁面の外気連通口を通じて室温センサに外気を接触させることにより、筐体側面における壁面の内側近傍と対応する位置に配置された室温センサによって、室内熱交換器からの熱影響を受けずに室内温度を検出することができる。このため、室温センサに対する室内熱交換器からの熱影響を防止する手段を特に設けなくても、正確な室内温度を検出することができる。
【００４２】
また、吸込グリルの開閉または着脱時に、筐体の外気連通口に人の指先が触れることにより、外気連通口に付着した埃等が除去される。このため、外気連通口への埃等の詰まりを防止して、温度センサによる正確な室内温度の検出を確保することができる。その際、外気連通口に外部から人の指先や異物が入ることもない。
【００４３】
請求項２記載の発明によれば、センサ取付部材によって電気部品箱の外側に室温センサを取り付けることにより、電気部品箱から離れた場所に室温センサを設置する場合に比べ、室温センサの取付構造を小型簡素化するとともに、センサ用導線の長さを短縮することができる。このため、室温センサの取り付けやセンサ用導線の取り回しに要する部材、スペース、作業労力を削減することが可能となる。
【図面の簡単な説明】
【図１】本発明による空気調和機の一実施形態の外観を示す斜視図。
【図２】図１に示す空気調和機において、吸込グリルを開いた状態を示す斜視図。
【図３】図１に示す空気調和機において、筐体内部の電気部品箱周辺を示す部分斜視図。
【図４】図３に示す電気部品箱に設けられた室温センサ取付部材周辺を下方から示す部分斜視図。
【図５】（ａ）は、図４に示す室温センサ取付部材周辺の正面図、（ｂ）は、（ａ）の右側面図。
【図６】図５に示す室温センサ取付部材の底面図。
【図７】図５に示す室温センサを、センサ用導線における断面から下方に見た図。
【図８】従来の空気調和機の外観を示す斜視図。
【図９】図８に示す空気調和機において、筐体内部の電気部品箱周辺を示す部分斜視図。
【符号の説明】
１  筐体
１ａ  筐体の前面開口
２  吹出口
３  吸込グリル
３０  操作部
３２  切欠
６  室内熱交換器
７  電気部品箱
７０  電気部品箱本体
７２  ＰＣ板ベース
７４  サブベース
８  センサ取付部材
８６  保持部
８７  導線固定部
８８  導線固定部の開口部
９  保護部材
２０  外気連通口
２２  スリット状開口
Ｒ  センサ用導線
Ｓ  室温センサ
ｓ1   室温センサの基部
ｓ2   室温センサの本体
【図１】
0003887096.tif 000002
【図２】
0003887096.tif 000003
【図３】
0003887096.tif 000004
【図４】
0003887096.tif 000005
【図５】
0003887096.tif 000006
【図６】
0003887096.tif 000007
【図７】
0003887096.tif 000008
【図８】
0003887096.tif 000009
【図９】
0003887096.tif 000010